(57)【特許請求の範囲】
【請求項１】
プローブ信号を送信するＭ個の送信用センサ素子と、
前記プローブ信号がターゲットで反射される事で生成されるエコー信号を受信するＮ個の受信用センサ素子と、
前記Ｍ個の送信用センサ素子と前記Ｎ個の受信用センサ素子とを合成することにより構成される実効受信センサアレイから得られるＬ個の受信信号を表す受信信号ベクトルに、位相オフセット行列をｐ−１乗（ｐ＝１〜Ｐ、Ｐは、Ｌよりも小さい整数）することで得られる各行列をそれぞれ掛けることで得られる結果を並べることで、目的行列を生成する行列生成部と、
前記目的行列とそのエルミート共役転置とを掛け合わせて生成される擬似共分散行列に基づいて前記ターゲットから到来するエコー信号の到来方向を推定する推定部とを有し、
前記位相オフセット行列は、exp(j*δ)、exp(j*2*δ)、．．．、exp(j*L*δ)を対角成分に有する対角行列であり、
ｊは複素数を表し、δはゼロを除く所定の位相を表す、
ことを特徴とする探知測距装置。
【請求項２】
前記行列生成部は、前記受信信号を対角成分に有する第１の行列と、互いに１次独立なＰ個のＬ次元ベクトルから構成される第２の行列とを掛け合わせることで前記目的行列を生成する
ことを特徴とする請求項１に記載の探知測距装置。
【請求項３】
前記推定部は、前記目的行列の擬似共分散行列の各対角成分から、それぞれ所定数を引き算することで得られる補正行列に基づいて、前記ターゲットから到来するエコー信号の到来方向を推定する、
ことを特徴とする請求項１または２に記載の探知測距装置。
【請求項４】
前記受信信号を表す受信信号ベクトルの共分散行列に基づいて前記ターゲットから到来するエコー信号の到来方向を推定できるか否かを予測する予測部をさらに備え、
前記予測部によって前記推定部が到来方向を推定できると判定されたときは、
前記推定部は、受信信号ベクトルの共分散行列に基づいて前記ターゲットから到来するエコー信号の到来方向を推定し、
前記予測部によって前記推定部が到来方向を推定できないと判定されたときは、
前記行列生成部は、前記目的行列を生成し、
前記推定部は、前記目的行列の擬似共分散行列に基づいて前記ターゲットから到来するエコー信号の到来方向を推定する、
ことを特徴とする請求項１〜３のいずれか１つに記載の探知測距装置。
【請求項５】
プローブ信号を送信するＭ個の送信用センサ素子、および前記プローブ信号がターゲットで反射される事で生成されるエコー信号を受信するＮ個の受信用センサ素子を有する探知測距装置において使用される角度推定方法であって、
前記Ｍ個の送信用センサ素子と前記Ｎ個の受信用センサ素子とを合成することにより構成される実効受信センサアレイから得られるＬ個の受信信号を表す受信信号ベクトルに、位相オフセット行列をｐ−１乗（ｐ＝１〜Ｐ、Ｐは、Ｌよりも小さい整数）することで得られる各行列をそれぞれ掛けることで得られる結果を並べることで、目的行列を生成し、
前記目的行列とそのエルミート共役転置とを掛け合わせて生成される擬似共分散行列に基づいて前記ターゲットから受信するエコー信号の到来方向を推定するものであり、
前記位相オフセット行列は、exp(j*δ)、exp(j*2*δ)、．．．、exp(j*L*δ)を対角成分に有する対角行列であり、
ｊは複素数を表し、δはゼロを除く所定の位相を表す、
ことを特徴とする角度推定方法。
【発明の詳細な説明】
【技術分野】
【０００１】
本発明は、ターゲットを探知する探知測距装置および角度推定方法に係わる。
【背景技術】
【０００２】
従来より、電波（例えば、ミリ波）を利用して、ターゲットを探知する探知測距装置が実用化されている。探知測距装置は、探知領域にプローブ信号を放射し、ターゲットからの反射信号（すなわち、エコー信号）を受信する。そして、探知測距装置は、受信したエコー信号を解析することによって、ターゲットまでの視線方向相対距離（以下、単に「距離」と記す）、ターゲットの視線方向相対速度（以下、単に「速度」と記す）、ターゲットが存在する方向（角度）を推定する。このような探知測距装置は、例えば、互いに等しい間隔で配置された複数の受信センサ素子を有し、各受信センサ素子により受信されるエコー信号の位相などに基づいて、ターゲットを探知する。すなわち、探知領域内のターゲットについて諸元（距離、速度、角度等）が推定される。
【先行技術文献】
【特許文献】
【０００３】
【特許文献１】特開２０１０−１４５２８９号公報
【発明の概要】
【発明が解決しようとする課題】
【０００４】
Ｍ個のセンサ素子から構成される送信用センサアレイとＮ個のセンサ素子から構成される受信用センサアレイとを利用してターゲットを探知する探知測距装置には、ターゲットからのエコー信号から信号ベクトルを生成し、その信号ベクトルに信号処理を施すことでエコー信号の到来方向（すなわち、ターゲットが存在する角度）を推定するものがある。この様な装置、特にレーダーをはじめとする探知測距装置においては、受信信号のコヒーレント性を打ち消すために、空間平均と呼ばれる技術が利用される。
【０００５】
ここで、各ターゲットからのエコー信号には、当然、ターゲットの角度情報も含まれているが、この信号がどの位置にあるセンサ素子で受信されたかを位相情報として記述する量が角度行列である。
【０００６】
ところが、この角度行列を構成する複数の角度ベクトルの中に、互いに複素共役の関係が成立する角度ベクトルが存在するケースでは（より一般的に表せば、或る角度ベクトルが、その他の幾つかの角度ベクトルの線形結合で表されるベクトルと互いに複素共役の関係となるケース  −  以下、このケースを当然の含意として説明する）、エコー信号の到来方向（即ち、ターゲットの角度）の推定を行うために用いる受信信号ベクトルの共分散行列の階数（以下、rank）が縮退する。この場合、共分散行列の逆行列または固有値分解に基づいて到来方向を推定する計算が破綻し、ターゲットを適切に探知できないことがある。
【０００７】
なお、上述した共分散行列のrankの縮退は、受信信号のコヒーレンス性とは無関係に、ターゲットの位置に起因して生じ得る。このため、受信信号のコヒーレント性を打ち消すための空間平均法を利用しても、到来方向（実際はターゲットの角度であるが、以下、区別せずに用いる）の推定精度は改善されない。
【０００８】
このように従来技術では、例えばターゲットの位置によって受信信号ベクトルの共分散行列のrankが縮退してしまい、探知領域内のターゲットであっても、その存在を適切に探知できないことがあった。このため、探知測距装置の信頼性または実用性の向上が求められている
本発明の課題は、探知測距装置の信頼性または実用性の向上を図ることである。
【課題を解決するための手段】
【０００９】
本発明の１つの態様の探知測距装置は、プローブ信号を送信するＭ個の送信用センサ素子と、前記プローブ信号がターゲットで反射される事で生成されるエコー信号を受信するＮ個の受信用センサ素子と、前記Ｍ個の送信用センサ素子と前記Ｎ個の受信用センサ素子とを合成することにより構成される実効受信センサアレイから得られるＬ個の受信信号を対角成分に有する第１の行列と、互いに１次独立なＰ個のＬ次元ベクトルから構成される第２の行列とを掛け合わせることで得られる第３の行列を生成する行列生成部と、
前記第３の行列とそのエルミート共役転置とを掛け合わせて生成される擬似共分散行列に基づいて前記ターゲットから到来するエコー信号の到来方向を推定する推定部と、を有する。なお、擬似共分散行列という語については、後で定義する。
【発明の効果】
【００１０】
上述の態様によれば、探知測距装置の信頼性または実用性の向上を図ることができる。
【図面の簡単な説明】
【００１１】
【図１】実施形態に係る探知測距装置の構成を示す図である。
【図２】探知測距装置とターゲットとの位置関係を示す図である。
【図３】図２に示すケースにおいて実施形態の方法を使用しないときの角度推定の結果を示す図である。
【図４】信号処理部の機能を説明する図である。
【図５】実施形態の角度推定方法を示すフローチャートである。
【図６】図２に示すケースにおいて実施形態の方法を使用したときの角度推定の結果を示す図である。
【図７】予測部を有する探知測距装置において実行される角度推定方法を示すフローチャートである。
【図８】角度推定方法の他の実施例のフローチャートである。
【発明を実施するための形態】
【００１２】
本発明の実施形態の探知測距装置は、Ｍ個の送信用センサ素子およびＮ個の受信用センサ素子を有する。Ｍは、１以上の整数であり、Ｎは、２以上の整数である。各送信用センサ素子は、それぞれ、探知領域にプローブ信号を放射する。ここで、探知領域内にターゲット（被探知物体）が存在すると、プローブ信号はそのターゲットにより反射される。各受信用センサ素子は、ターゲットからの反射信号（すなわち、エコー信号）を受信する。そして、探知測距装置は、受信したエコー信号の位相などを解析することにより、探知測距装置からターゲットまでの距離、探知測距装置に対するターゲットの速度、ターゲットが存在する方向（角度）を推定する。
【００１３】
なお、以下に示す実施形態においては、探知測距装置がレーダーであるものとする。この場合、各送信用センサ素子は、それぞれ送信アンテナ（ＴＸアンテナ）であり、各受信用センサ素子は、それぞれ受信アンテナ（ＲＸアンテナ）である。
【００１４】
図１は、実施形態に係る探知測距装置（以下、探知測距装置１と呼ぶ）の構成例である。探知測距装置１は、送受信回路１０、送信アンテナ：ＡT（即ち、Ｍ＝１）、受信アンテナ：ＡR1〜ＡR4（即ち、Ｎ＝４）、Ａ／Ｄコンバータ２１−１〜２１−４、信号処理部３０、及びＣＰＵ４０を有する。なお、以下では、説明を簡潔にする為に、信号処理部３０が探知測距処理を行い、ＣＰＵ４０は探知測距装置１の動作を制御するものとし、ＣＰＵ４０の動作については説明を省略する。
【００１５】
送受信回路１０は、プローブ信号を生成する信号生成回路（OSC MODULE）１１を有する。そして、信号生成回路１１は、変調入力信号生成器（ＢＢ−ＯＳＣ: base band oscillator）１２、および所定の中心周波数（キャリア周波数）で発振する高周波電圧制御発振器（ＲＦ−ＶＣＯ：radio frequency voltage-controlled oscillator）１３を有する。
【００１６】
ＢＢ−ＯＳＣ１２は変調入力信号を生成する。本実施例では、変調入力信号は、周期的な電圧信号である。例えば変調入力信号として三角波を考えると、これは周期：Ｔｍ毎に、時間に沿って電圧がリニアに上昇するアップチャープ区間、および時間に沿って電圧がリニアに下降していくダウンチャープ区間を有する。周期：Ｔｍは、距離および速度などの分解能に応じて決定されるが、例えば、数１０ｍ秒程度である。なお、変調入力信号は、上述のような波形に限定されるものではなく、他の波形でもあってもよい。
【００１７】
ＲＦ−ＶＣＯ１３は、発振周波数を制御する制御信号が入力される制御信号入力端子を有する。そして、ＲＦ−ＶＣＯ１３は、制御信号入力端子に印加される電圧（または、電流）に対応する周波数で発振する。なお、この明細書においては、「周波数」および「角周波数」を区別することなく「周波数」と呼ぶ。すなわち、「周波数」は、角周波数を含むものとする。
【００１８】
ＲＦ−ＶＣＯ１３の制御信号入力端子には、キャリア周波数をωcに設定するための基準電圧に上述の変調入力信号を重畳することで得られる制御信号が印加される。従って、ＲＦ−ＶＣＯ１３の瞬時周波数は、キャリア周波数ωcを中心にして、変調入力信号に従って変化する。このようにしてプローブ信号（OSC-out）が生成される。なお、基準電圧に対応するキャリア周波数ωcは、特に限定されるものではないが、例えば、76GHzである。
【００１９】
信号生成回路１１により生成されたプローブ信号は、パワーアンプ（ＰＷＡ）１５で増幅された後、送信アンテナ：ＡTから探知領域に向けて放射される。なお、プローブ信号は、分岐器（ＨＹＢ）１４により、後述するミキサ（ＭＩＸ）１７−１〜１７−４にも導かれる。
【００２０】
各受信アンテナ：ＡR1〜ＡR4は、プローブ信号がターゲットで反射されることによって生成されたエコー信号を受信する。簡単のため、この実施例では、送信アンテナ：ＡT、および受信アンテナ：ＡR1〜ＡR4は、直線上に配置されているものとする。また、送信アンテナ：ＡTの位置に関しては、簡単の為、受信アンテナ：ＡR1〜ＡR4が配置されている直線の延長線上に配置されているものとする。更に、受信アンテナ：ＡR1〜ＡR4は、互いに等しい間隔ｄを隔てて配置されているものとする。
【００２１】
受信アンテナ：ＡR1〜ＡR4で受信されたエコー信号は、各アンテナに対応する低雑音アンプ（ＬＮＡ）１６−１〜１６−４で増幅され後に、ミキサ１７−１〜１７−４に導かれる。ミキサ１７−１〜１７−４は、それぞれ、対応する受信アンテナ：ＡR1〜ＡR4で受信されたエコー信号とプローブ信号とを掛け合わせる。この結果、エコー信号はダウンコンバートおよび復調され、ベースバンド信号成分（以下、単にベースバンド成分と呼ぶ）が得られる。
【００２２】
Ａ／Ｄコンバータ２１−１〜２１−４は、それぞれ、受信アンテナ：ＡR1〜ＡR4で受信されたエコー信号のベースバンド成分をデジタルデータ信号ｖ1〜ｖ4に変換する。これらのデジタルデータ信号ｖ1〜ｖ4は、信号処理部３０に入力される。なお、デジタルデータ信号ｖ1〜ｖ4を、データ信号、ベースバンドエコー信号、或いは、単に受信信号と記す事がある。
【００２３】
信号処理部３０は、プロセッサおよび／またはデジタル演算のためのハードウェア回路を含む。そして、信号処理部３０は、デジタル化されたＭ×Ｎ組のデータ信号に基づいて、探知測距装置１から各ターゲットまでの距離、各ターゲットの速度、および各ターゲットが存在する角度を推定する。ただし、この実施例では、Ｍ＝１およびＮ＝４であり、信号処理部３０は、４組のデータ信号ｖ1〜ｖ4に基づいて、各ターゲットを探知する。
【００２４】
信号処理部３０は、少なくとも１つのデータ信号を利用して、探知測距装置１からターゲットまでの距離およびターゲットの速度を推定する。この際、信号処理部３０は、例えば、変調入力信号のアップチャープ区間およびダウンチャープ区間のそれぞれに於いて取得した時間領域のデータ信号にＦＦＴ演算等を施すことで、そのデータ信号を周波数領域のデータ信号に変換する。
【００２５】
そして、信号処理部３０は、アップチャープ区間において得られるピーク周波数およびダウンチャープ区間において得られるピーク周波数に基づいて、探知測距装置１からターゲットまでの距離およびターゲットの速度を推定する。なお、ピーク周波数（周波数領域のデータ信号のパワースペクトラムを周波数に対してプロットした際、ある所定の閾値を超えたスペクトラム値が出現する周波数）からターゲットを定位する方法は、公知の技術を利用して実現可能なので、説明を省略する。
【００２６】
さらに、信号処理部３０は、複数のデータ信号に既知の到来方向推定方法を適用することにより、ターゲットが存在する角度を推定することができる。なお前述した如く、この明細書においてはエコー信号の到来方向とターゲットの存在する角度とを区別せずに使用することがある。
【００２７】
エコー信号の到来方向を推定する方法としては、本発明を限定するものではないが、例えば、ＤＢＦ（digital beam forming）、ＭＵＳＩＣ（multiple signal classification）、ＰＲＩＳＭ（propagator method based on an improved spatial-smoothing matrix）、ＥＳＰＲＩＴ（estimation of signal parameters via rotational invariance techniques）などが知られている。なお、探知測距装置１は、２以上の到来方向推定アルゴリズムを実行できる構成であってもよい。
【００２８】
上記構成の探知測距装置１の動作を説明する。ここでは、探知測距装置１の探知範囲にＫ個のターゲットが存在するものとする。そうすると、送信アンテナＡTから放射されるプローブ信号が各ターゲットによって反射され、各ターゲットに対応するＲＦエコー信号が生成される。そして、各受信アンテナＡR1〜ＡR4には、各ターゲットｋ（ｋ＝１〜Ｋ）が存在する方向（すなわち、角度θk）からＲＦエコー信号が入射される。
【００２９】
なお、この説明では、図１に示すように、受信アンテナ：ＡR1の位置をＸ−Ｙ座標の原点とする。送信アンテナ：ＡTおよび受信アンテナ：ＡR1〜ＡR4は、Ｘ軸上に配置されているものとする。また、受信アンテナ：ＡR1〜ＡR4は、互いに等しい間隔ｄを隔ててＸ軸の正方向に向かって配置されている。さらに、Ｙ軸の正方向を０度と定義し、時計回り方向を角度の正方向とする。従って、ＡR1の位置を原点とした信号の等位相面はＹ軸の負方向に現れるが、見易さの関係上、表示上の齟齬を無視して描いている。
【００３０】
この場合、ｎ番目の受信アンテナで受信されたＲＦエコー信号は、ミキサ１７−ｎに導かれる。そして、ミキサ１７−ｎにおいて、このＲＦエコー信号とプローブ信号とが掛け合わされて、ダウンコンバートおよび復調が行われる。これにより、各ターゲットの諸元情報を含んだベースバンド信号：ｖn(t)が生成される。以下、文脈を鑑み、誤解の恐れが無い限り、ｖn(t)を単にエコー信号と記す事がある。
【００３１】
ここで、ｎ番目の受信アンテナを通して得られるエコー信号：ｖn(t)は、（１．１）式で表される。なお、ｘk(t)は、ｋ番目のターゲットからのエコー信号に対応するベースバンド成分（上記同様、エコー信号と記すことがある）であり、（１．２）式は、アンテナＡR1を角度ベクトルの位相基準とした際に受信アンテナＡR1〜ＡR4の空間的配置に伴ってｘk(t)に付与される空間位相である。また、ｎn(t)は、雑音信号を表す。なお以下の記載において、ベクトルおよび行列を太字で表記しないことがある。
【００３２】
【数１】
0005865689.tif 000002
【００３３】
このように、各受信アンテナで得られるエコー信号は、それぞれＫ個のターゲットから反射されてくる信号成分を含んでいる。また、ターゲットｋから反射されてくるエコー信号の空間位相（誤解の恐れが無い場合、今後は単に位相と記す）φn,kは、受信アンテナ毎に異なっている。
【００３４】
探知測距装置１は、Ｎ個（この例では、Ｎ＝４）の受信アンテナを有する。よって、上述のエコー信号をベクトル形式で表せば、（１．３）式が得られる。なお、上付添え字Ｔは、転置を表す。また上述の如く、角度行列：Ａの（n,k）成分は、ｎ番目のアンテナで受信された信号に含まれている、ｋ番目のターゲットからのエコー信号の位相を表す。
【００３５】
【数２】
0005865689.tif 000003
【００３６】
ここで、説明を簡単にするために、ベースバンド信号ベクトルｘ(t)と雑音信号ベクトルｎ(t)との間に相関が無いものとする。そうすると、（１．３）式に示す受信信号ベクトルｖ(t)について、（１．７）式に示す共分散行列Ｒvvが得られる。そして、この共分散行列Ｒvvは、探知測距装置１において、アレーアンテナを用いてターゲットの角度推定を行う場合の演算対象として使用される。
【数３】
0005865689.tif 000004
σ2は、雑音信号の電力に相当する。行列Ｉは、単位行列を表す。行列Ｒxxは、ベースバンド信号の共分散行列であり、（１．８）式で定義される。なお、上付添え字Hは、エルミート共役転置を表す。また、以下の説明では、記載を簡潔にするために、時刻ｔの表記を省略する。
【００３７】
【数４】
0005865689.tif 000005
【００３８】
このように、探知測距装置１の信号処理部３０は、複数の受信アンテナで受信したエコー信号から（１．７）式に示す共分散行列Ｒvvを生成する。そして、信号処理部３０は、この共分散行列Ｒvvを利用して、ターゲットの角度情報を求める事ができる。一例として、Capon法では、（１．９）式で表される角度スペクトラム：ＰCapon(θ)を利用してターゲットの角度推定が行われる。
【数５】
0005865689.tif 000006
Ｒvv-1は、共分散行列Ｒvvの逆行列である。また、ａ(θ)は、パラメータθに従って変化する角度ベクトルであり、（１．１０）式で定義される。
【００３９】
【数６】
0005865689.tif 000007
【００４０】
信号処理部３０は、（１．９）式においてパラメータθをスキャンしながらＰCaponの値を計算する。そして、ＰCaponがピーク値を取った時のθの値を、ターゲットの角度（即ち、エコー信号の到来方向）と判定する。
【００４１】
ところが、探知測距装置１が受信する各ＲＦエコー信号は、同じ信号源から放射されるプローブ信号の反射波であるから、本質的に互いにコヒーレントである。これは、ベースバンドエコー信号のコヒーレンス性に基づく性質であるが、結果として、共分散行列ＲvvおよびＲxxの階数（以下、rank）とターゲットの個数Ｋとの間の関係は、（１．１１）式の様になる。なお、行列のrankは、その行列を構成する一次独立な列ベクトル（または、行ベクトル）の最大個数に相当する。
【００４２】
【数７】
0005865689.tif 000008
【００４３】
このように、共分散行列Ｒvvのrankがターゲットの個数よりも小さい場合、共分散行列Ｒvvは逆行列を持たないので、共分散行列の逆行列または固有値を利用して角度推定を行うことは出来ない。例えば、（１．９）式に示すCapon法で用いられる逆行列Ｒvv-1は存在しない為、信号処理部３０は、ＰCaponを適切に計算できず、ターゲットの角度を推定することができない。
【００４４】
特に探知測距装置に係わるこの問題は、例えば、共分散行列Ｒvvのrankを回復させ、等価的にベースバンドエコー信号のコヒーレンス性を解消することで解決可能である。行列のrankを回復させる方法として、空間平均が知られている。そして、空間平均として、前方空間平均（ＦＳＳ：Forward Spatial Smoothing）、後方空間平均（ＢＳＳ：Backward Spatial Smoothing）、前後方空間平均（ＦＢＳＳ：Forward Backward Spatial Smoothing）が知られている。
【００４５】
前方空間平均においては、共分散行列Ｒvvの主対角線に沿って、複数のＱ×Ｑ部分行列が抽出される。ここで、共分散行列Ｒvvの次元がＬ×Ｌであるものとすると、抽出可能な部分行列の数は、Ｌ−Ｑ＋１個となる。そして、抽出された複数の部分行列を足し合わせて平均を計算することにより、空間平均の適用された共分散行列（空間平均行列と呼ぶ）が生成される。但し、空間平均で適切にrankの回復を行う為には、Ｑ≧Ｋ＋１なる数Ｑを事前に求めておく必要がある（この事はターゲット数、即ち、ベースバンドエコーの数を事前に推定しておく必要がある事を意味するが、本発明の本質とは無関係なので、この手順に関する説明は省略し、後述する計算例で採用している手法以外を用いた説明では、Ｋは正しく推定されているものと仮定する）。
【００４６】
後方空間平均においては、前方空間平均とほぼ同じ手順で空間平均行列が生成される。ただし、後方空間平均は、センサアレイの基準点を反転した上で、空間平均処理を行う。前後方空間平均は、前方空間平均および後方空間平均を組み合わせた手法である。
【００４７】
上述の空間平均を適切に適用すれば、共分散行列Ｒvvのrankが回復する。したがって、例えば、前後方空間平均で得られた空間平均行列の逆行列を（１．９）式に代入することにより、角度推定が行われる。或いは、前後方空間平均で得られた空間平均行列に固有値分解等の演算を適用することにより、角度推定が行われる。
【００４８】
しかしながら、探知領域内のある特定の位置にターゲットが存在している場合、ベースバンドエコー信号のコヒーレンスの問題とは無関係に、角度ベクトルから構成された角度行列のrankが縮退してしまうことがある。すなわち、ターゲットの存在する位置に起因して、（１．４）式に表されるＫ個の角度ベクトル：ａ(θ1)、ａ(θ2)、・・・、ａ(θK)の中で１組以上の組合せが互いに複素共役となる場合（「発明が解決しようとする課題」に於ける一般的なケースを参照）には、共分散行列のrankが縮退することとなる。このケースでは、rank縮退の原因が異なるので、上述の空間平均を適用しても共分散行列Ｒvvのrankは回復しない。つまり、各ターゲットについて角度推定を行うことは困難である。
【００４９】
ターゲットの位置に起因して行列のrankが縮退するケースについて一例を示す。この例では、探知測距装置は、１個の送信アンテナ（すなわち、Ｍ＝１）、４個の受信アンテナ（すなわち、Ｎ＝４）を有する。また、探知範囲内に２個のターゲット（すなわち、Ｋ＝２）が存在するものとする。
【００５０】
探知測距装置（レーダー）は、図２に示す車両Ａに搭載されており、車両Ａの前方を探知している。すなわち、図１に於ける探知測距装置を基準としたＹ軸の正方向は、図２に於ける車両Ａの走行方向とほぼ一致している。この例では、車両Ａは、３車線道路の中央車線を走行している。車両Ｂおよび車両Ｃは、探知測距装置の探知対象となるターゲットである。ただし、車両Ｂは、車両Ａの前方において右側車線を走行しており、車両Ｃは、車両Ａの前方において左側車線を走行している。そして、車両Ａから車両Ｂまでの距離と車両Ａから車両Ｃまでの距離とは、互いに等しいものとする。また、車両Ａに対する車両Ｂ、Ｃの相対速度も互いに等しいものとする。さらに、車両Ａの走行方向を探知測距装置のＹ軸方向（すなわち、０度方向）として、車両Ｂは＋θの方向に存在し、車両Ｃは−θの方向に存在しているものとする。
【００５１】
この場合、探知測距装置の各受信アンテナ：ＡR1〜ＡR4で受信されるエコー信号は、下記の（１．１２）〜（１．１５）式で表される。（１．１２）〜（１．１５）式は、それぞれ（１．３）〜（１．６）式に対応している。
【００５２】
【数８】
0005865689.tif 000009
【００５３】
ここで、受信信号ベクトルｖの共分散行列Ｒvvは、車両Ｂからのエコー信号に対応する角度ベクトルａ1、及び車両Ｃからのエコー信号に対応する角度ベクトルａ2から生成される行列：ａmａnH（m=1,2 n=1,2）を用いて、（１．１６）式の様に展開する事ができる。なお、（１．１６）式では、説明を簡潔にするため、雑音成分は無視されている。
【００５４】
【数９】
0005865689.tif 000010
【００５５】
ところが、図２に示すケースにおいては、角度ベクトルａ1および角度ベクトルａ2についてａ2＝ａ1*およびａ2H＝ａ1Tが成立する。従って、共分散行列Ｒvvは（１．１７）式で表すことができる。
【００５６】
【数１０】
0005865689.tif 000011
【００５７】
すなわち、共分散行列Ｒvvは、角度ベクトルａ1または角度ベクトルａ2のいずれか一方だけで表すことができる。（１．１７）式は角度ベクトルａ1のみを用いた表記であるが、角度ベクトルの生成する行列：ａmａnHを構成するベクトルは、全てａ1のスカラー倍で表される。換言すれば、車両Ｂからのエコー信号に対応する角度ベクトルと車両Ｃからのエコー信号に対応する角度ベクトルとのテンソル積として生成される各行列の、例えば、列ベクトルは、全てａ1の張る部分空間に属する事になる。よって、この共分散行列Ｒvvのrankは、ターゲットの個数Ｋよりも小さくなる。
【００５８】
上述のケースでは、Ｋ＝２であり、共分散行列Ｒvvのrankは１である。したがって、図２に示す２つのターゲット（車両Ｂ、Ｃ）について、共分散行列Ｒvvの逆行列または固有値を利用して角度推定を行うことは困難である。また、繰り返しになるが、ターゲットの位置に起因して共分散行列のrankが縮退した場合、上述した空間平均で、そのrankを回復させることはできない。
【００５９】
図３は、図２に示すケースにおける車両Ｂおよび車両Ｃについての角度推定の結果を示す。ここでは、車両Ａから車両Ｂ、Ｃまでの距離が４０ｍ、車両Ａに対する車両Ｂ、Ｃの速度が０km/h、角度が±３度であるものとする。図３の横軸は、車両Ａからターゲットまでの距離（ＦＦＴのbin index）である。図３に示すグラフでは、横軸の値が５５となる箇所が、実際の距離の値で約４０ｍに相当する。また、縦軸は、エコー信号に基づいて推定された角度（エコー信号の到来方向）を表す。そして、探知測距装置は、ターゲット数が常に３であると仮定した上で共分散行列Ｒvvに幾つかの追加演算（この追加演算の詳細は、採用する角度推定手法そのものによって異なるが、例えば、公知技術の１つであるＥＳＰＲＩＴでは、Ｒvvからの部分行列の取り出しや、それを用いた正則行列の生成等である）を施し、結果として得られた行列の固有値を算出し、その固有値からターゲットの角度を推定するものとする（即ち図２のケースでは、算出される３個の角度のうちの一つは無意味な数値であるから、本探知測距装置が採用している角度推定手法には、この無意味な数値を識別する手段が実装されている。  −  しかしながら、この手段の詳細は本発明の原理と無関係であるから、説明は省略する）。
【００６０】
この例では、共分散行列Ｒvvから３つの固有値（ＥＶ１〜ＥＶ３）が算出される。ここで、探知測距装置は、距離約４０ｍの位置に何らかのターゲットが存在している事までは検知できる（ＦＦＴピーク等による）。ところが図２の状況では、Ｒvvのrankが縮退して１になっているので、ターゲットの個数は１と見なされ、３つの固有値に対応するどの角度が目標の諸元であるかは識別できない。しかも、rankが縮退した行列を固有値分解して無理矢理角度を求めても、その値は一般に不適切なものとなる。実際、上述した無意味な固有値を識別する手段によって、ＥＶ１、ＥＶ２がそれぞれ車両Ｂ、Ｃに対応する可能性がある事が示唆されるが、距離約４０ｍに於けるそれらの角度は「約−１０度」および「約−１８度」である。すなわち、上述したシーン設定で仮定された値（±３度）とは遠くかけ離れた値となっている。
【００６１】
このように、図２に示すような位置にターゲットが存在するときは、共分散行列Ｒvvからターゲットの角度を適切に推定できない。そこで、実施形態の探知測距装置１は、この問題を解決するためのアルゴリズムを使用する。
【００６２】
＜rankを回復させるアルゴリズム＞
以下の説明では引き続き、探知測距装置１の構成例として図１に示した１個の送信アンテナ（すなわち、Ｍ＝１）と４個の受信アンテナ（すなわち、Ｎ＝４）とを有するものを仮定する。また、探知範囲内には、例えば図２に示すように、２個のターゲット（すなわち、Ｋ＝２）が存在するものとする。
【００６３】
まず、（２．１）式に示す位相オフセット行列：Ｂを考える。
【数１１】
0005865689.tif 000012
【００６４】
この位相オフセット行列は、Ｌ×Ｌ次元の正方行列である。なお、送信／受信アンテナを組み合わせて実効的な受信アンテナ数を増大させる手法については、既知の特許文献に於いて開示してあるが、例えばＬ＝Ｍ×Ｎであり、この実施例ではＬ＝４である。また、パラメータ：δは、ターゲットの探知範囲に応じて決定される。δを決定する方法の一例については後で説明する。そして、位相オフセット行列の対角線上の各成分の値は、互いに異なっている。この例では、位相オフセット行列の対角線上の各成分の値は、exp(jδ)、exp(j2δ)、exp(j3δ)、exp(j4δ)である。なお、位相オフセット行列の対角成分以外の成分は、ゼロである。
【００６５】
次に、デジタルデータに変換されたベースバンドエコー信号（受信信号）ベクトル：ｖ、および位相オフセット行列：Ｂから拡張受信信号ベクトル：ｗを生成する。なお、拡張受信信号ベクトルｗは、実際には、行列である。ただし、この拡張受信信号ベクトルｗは（１．３）式、又は（１．１２）式に示す受信信号ベクトルｖに対応する概念であるので、便宜上「ベクトル」と呼ぶことにする。
【００６６】
（２．２）式に示すように拡張受信信号ベクトルｗは、位相オフセット行列Ｂをｐ−１乗（ｐ＝１〜Ｐ、Ｐは、Ｌより小さい整数）した行列とエコー信号ベクトルｖとから構成される。即ち、拡張受信信号ベクトルｗは、クリロフ（Krylov）部分空間に基づいて生成される。この例では、拡張受信信号ベクトルｗの第１列は、位相オフセット行列Ｂのゼロ乗（即ち、Ｌ次元の単位行列Ｉ）と受信信号ベクトルｖとを掛けることで得られる。拡張受信信号ベクトルｗの第２列は、位相オフセット行列Ｂと受信信号ベクトルｖとを掛けることで得られる。最後に、拡張受信信号ベクトルｗの第３列は、位相オフセット行列Ｂの２乗と受信信号ベクトルｖとを掛けることで得られる。
【００６７】
【数１２】
0005865689.tif 000013
【００６８】
さらに、（２．２）式を展開して整理すると、（２．３）式が得られる。なお、新たな行列：Ｖ、Ｇの定義も（２．３）式に於いて与えられる。
【００６９】
【数１３】
0005865689.tif 000014
【００７０】
このように、拡張受信信号ベクトルｗは、（２．３）式に示すように、行列Ｖと行列Ｇとの乗算で表すことができる。行列Ｖは、受信アンテナ：ＡR1〜ＡR4でそれぞれ受信される受信信号ｖ1〜ｖ4を対角成分に有する正方行列である。なお、行列Ｖの他の成分はゼロである。また、行列Ｇは、互いに１次独立なＰ個の４次元ベクトルｇ1〜ｇPから構成される。ここで上述した如く、この実施例で使用するアルゴリズムは、共分散行列Ｒvvのrankを「Ｎ−１（または、Ｌ−１）」に固定して固有値分解から角度推定までの演算を行うので、Ｐ＝３である。すなわち、行列Ｇは、４行×３列形式であり、３個の４次元ベクトルｇ1〜ｇ3から構成される。
【００７１】
行列Ｇの第１列〜第３列には、それぞれベクトルｇ1＝[1 1 1 1]T、ｇ2＝[exp(jδ) exp(j2δ) exp(j3δ) exp(j4δ)] T、及びｇ3＝[exp(j2δ) exp(j4δ) exp(j6δ) exp(j8δ)] Tが設定されている。なお、これら行列Ｇを構成する３つのベクトルｇ1〜ｇ3が互いに一次独立である事は計算するまでもない（勿論、δ≠０である）。
【００７２】
探知測距装置１において、拡張受信信号ベクトルｗは（１．３）式または（１．１２）式に示す受信信号ベクトルｖと同様に扱われる。そうすると、共分散行列Ｒvvに対応する行列Ｒwwは、（２．４）式で表すことができる。なお、Ｒwwを擬似共分散行列と呼ぶ。
【００７３】
【数１４】
0005865689.tif 000015
【００７４】
ここで、この実施例では、rank(Ｒww)＝min{rank(Ｖ), rank(Ｇ)}＝rank(Ｇ)＝３である。すなわち、擬似共分散行列Ｒwwのrankは３である。このように、探知測距装置１とターゲットの位置関係が図２に示すようなケースであっても、擬似共分散行列Ｒwwのrankは所望の値に回復している。
【００７５】
探知測距装置１は、上述の擬似共分散行列Ｒwwを利用して各ターゲットについて角度推定を行う。すなわち、探知測距装置１は、例えば、共分散行列Ｒvvの代わりに擬似共分散行列Ｒwwを（１．９）式に代入したものを、角度スペクトラム：ＰCapon(θ)として扱う。そして探知測距装置１は、パラメータθをスキャンしながらＰCaponを計算し、ＰCaponがピーク値を取った時のθの値を、ターゲットの角度（すなわち、エコー信号の到来方向）と判定する。或いは探知測距装置１は、擬似共分散行列Ｒwwに幾つかの追加演算を施した結果として得られる行列に対して固有値分解を適用し、その固有値からターゲットの角度（すなわち、エコー信号の到来方向）を推定してもよい。
【００７６】
図４は、探知測距装置１が有する信号処理部３０の機能を説明する図である。信号処理部３０には、ベースバンドエコー信号を表すデジタルデータが入力される。図１に示した構成では、受信アンテナ：ＡR1〜ＡR4で受信された４つのＲＦエコー信号が、ダウンコンバートおよび復調された後に、更にデジタルデータに変換され、信号処理部３０に入力される。
【００７７】
信号処理部３０は、行列生成部３１、推定部３２、予測部３３を有する。ただし、信号処理部３０は、必ずしも予測部３３を有していなくてもよい。よって、ここでは、行列生成部３１および推定部３２について記載することとし、予測部３３については後で説明する。
【００７８】
行列生成部３１は、Ｍ個の送信用センサ素子とＮ個の受信用センサ素子とを合成することで構成される実効受信センサアレイから得られるＬ個の受信信号（図１に示した装置では、ベースバンドエコー信号を表すデジタルデータ）ｖ1〜ｖLを対角成分に有する第１の行列と、互いに１次独立なＰ個のＬ次元ベクトルｇ1〜ｇPから構成される第２の行列とを掛け合わせることによって第３の行列を生成する。勿論、行列生成部３１は受信信号ベクトルｖから共分散行列Ｒvvを計算する機能を具備するが、以下の説明に於いては、本発明の骨子に係わる機能を中心に説明を行う。図１に示す構成では、Ｍ＝１、Ｎ＝４であり、Ｌ＝４である。第１の行列の一例は、（２．３）式に示す行列Ｖであり、第２の行列の一例は、（２．３）式に示す行列Ｇである。この場合、第３の行列は、（２．３）式に示す行列ＶＧに相当する。なお、（２．１）〜（２．３）式においては、Ｐ＝３である。
【００７９】
ただし、行列生成部３１は、第３の行列を生成するために第１および第２の行列を個々に生成する必要はない。すなわち、行列生成部３１は、第１および第２の行列を個々に生成することなく、第３の行列を生成してもよい。
【００８０】
推定部３２は、第３の行列の共分散行列に基づき、ターゲットから到来するエコー信号の到来方向を推定する。第３の行列の共分散行列の一例は、（２．４）に示す擬似共分散行列Ｒwwである。推定部３２がエコー信号の到来方向を推定する手段は、特に限定されるものではないが、例えば擬似共分散行列Ｒwwの固有値を利用する方法である。
【００８１】
図５は、実施形態の角度推定方法を示すフローチャートである。この角度推定方法は、プローブ信号を送信するＭ個の送信用センサ素子、及びターゲットによってプローブ信号が反射されて生じたエコー信号を受信するＮ個の受信用センサ素子を有する探知測距装置において、信号処理部３０によって実行される。なお、このフローチャートの処理は、例えば、定期的に繰り返し実行される。
【００８２】
Ｓ１において、信号処理部３０は、Ｍ個の送信用センサ素子およびＮ個の受信用センサ素子を合成することで構成される実効受信センサアレイからＬ個の受信信号ｖ1〜ｖLを取得する。Ｓ２において、信号処理部３０は、受信信号ｖ1〜ｖLを対角成分に有する第１の行列と、互いに１次独立なＰ個のＬ次元ベクトルｇ1〜ｇPから構成される第２の行列とを掛け合わせることで得られる第３の行列を生成する。そして、Ｓ３において、信号処理部３０は、第３の行列の（擬似）共分散行列に基づいてターゲットから到来するエコー信号の到来方向（ターゲットの角度）を推定する。
【００８３】
図６は、図２に示すケースにおいて実施形態の方法を使用したときの角度推定の結果である。図６に示す推定結果は、図３に示した推定結果と同様に、車両Ａから車両Ｂ、Ｃまでの距離が４０ｍ、車両Ａに対する車両Ｂ、Ｃの速度が０km/h、角度が±３度なる条件を仮定して得られたものである。ただし、図６に示す推定結果を得る為に用いた計算手法は、共分散行列Ｒvvの代わりに擬似共分散行列Ｒwwを用いる点で、図３の結果を得た手法と異なっている（即ち、角度推定のアルゴリズム自体は同じであって、アルゴリズムを適用する対象が異なる）。
【００８４】
図６では、擬似共分散行列Ｒwwから３つの固有値（ＥＶ１〜ＥＶ３）が算出され、そのうちの２つの固有値が車両Ｂ、Ｃに対応する。上述した無意味な固有値を識別する手段によって、ＥＶ１、ＥＶ２がそれぞれ実車両に対応する事が判定されているので、探知測距装置１は、距離約４０ｍの「約＋３度」方向と、「約−３度」方向に２つのターゲットが存在していると推定する。
【００８５】
このように、実施形態の構成および方法による探知測距装置１は、ターゲットが図２に示すような特殊な条件下に存在している場合でも各ターゲットの角度（各ターゲットからのエコー信号の到来方向）を精度よく推定できる。したがって、実施形態の構成および方法によれば、ターゲットの探知において、角度推定の信頼性および実用性が向上する。
【００８６】
ここで、ターゲットの位置に起因して共分散行列Ｒvvのrankが縮退するケースは、図２に示す例に限らない。すなわち、図２に示すケースと同様の状態は、三車線道路においてのみ生じるものではなく、例えば、車線を挟むガードレールが存在する場合にも起こり得る。また、探知測距装置が車両に搭載される場合でなくても、探知測距装置とターゲットとの位置関係によっては、共分散行列Ｒvvのrankが縮退することで角度推定が困難になる状況は生じ得る。したがって、実施形態の構成および方法によって上述の問題を解決することは、実用上にも大きな効果が得られる。
【００８７】
なお、（２．１）式で表される位相オフセット行列：Ｂを定義するパラメータ：δ、および（２．２）式で表される拡張受信信号ベクトル：ｗを生成するためのパラメータ：Ｐは、特に限定されるものではないが、例えば、下記の（２．５）式で算出してもよい。
【００８８】
【数１５】
0005865689.tif 000016
【００８９】
実際の装置に対してこの方法を用いてパラメータδ及びＰを決定する場合、先ず、探知測距装置１の視野角（ＦＯＶ：Field of View）内に所定の角度：θkを持った、Ｋ個のターゲットを設置する。次に、あるδ及びＰの値に対して本発明のアルゴリズムを適用し、角度θk[ｗ(δ,Ｐ)]を推定してゆく。そして、設定値：θkと推定値：θk[ｗ(δ,Ｐ)]とを用いてパラメータδ、Ｐに関する最小二乗評価関数（（２．６）式）を定義する。あとは、δ及びＰをそれぞれＦＯＶに収まる空間位相及び自然数１〜Ｌ−１の各範囲内でスキャンしながら評価関数：ｅ(δ,Ｐ)が最小になるδ、Ｐの値を求める。そして、この手順を、探知測距装置１のＦＯＶ内に設定された様々なターゲット角度に対して適用して最終的なδ、Ｐの値を求める。
【００９０】
なお、（１．１６）式等を参照すれば、ターゲットの角度に対して共分散行列のrankが縮退する角度の組み合わせが理論的に予見できる事は明らかであるから、この組み合わせだけについて上記を適用すれば良い。また、ＦＯＶが広い場合は角度範囲を複数の領域に分割し、領域ごとに異なるδを使用してもよい。Ｋに応じて、Ｐも同様である。
【００９１】
＜他の実施形態＞
公知技術の１つであるＱ−ＥＳＰＲＩＴ等のＥＳＰＲＩＴ（Estimation of Signal Parameters via Rotational Invariance Techniques）系の角度推定アルゴリズムにおいては、例えば、（１．７）式で表される共分散行列：Ｒvvに幾つかの追加演算を施し、結果として得られた行列を固有値分解することによって得られる固有値から角度が推定される。一方、上述の実施形態では、受信信号ベクトル：ｖと位相オフセット行列：Ｂとを利用して拡張受信信号ベクトルｗを構成し、このｗから擬似共分散行列：Ｒwwを生成し、Ｒwwに基づいて角度が推定される。従って、擬似共分散行列：Ｒwwから得られる固有値は、（２．４）式に示すＧＧHの影響によって本来の固有値からずれた値を取る。そして、この固有値のずれは、角度推定の誤差を生じさせる。
【００９２】
そこで、探知測距装置１は、（２．４）式に示すＧＧHの影響を低減するために、擬似共分散行列Ｒwwの各対角成分からそれぞれ所定値ｙを引き算して、Ｒww−ｙＩを計算する（Ｉは単位行列である）。ここで、Ｒww−ｙＩを補正行列と呼び、再びＲwwと記す。ｙとしては、例えば、(1／Ｌ)＊trace(ＧＧH)等を使用する（trace（Ａ）は行列Ａの対角要素の和である）。この補正行列Ｒwwを用いる事で、探知測距装置１は角度の推定精度を向上させる事ができる。
【００９３】
＜さらに他の実施形態＞
上述の実施形態に於ける信号処理部３０は、位相オフセット行列に基づいて生成される擬似共分散行列：Ｒwwを利用して、角度推定を行う。しかしながら、探知測距装置１は、必要に応じて擬似共分散行列Ｒwwを利用するようにしてもよい。すなわち、探知測距装置１は、共分散行列Ｒvvに基づいたエコー信号の到来方向推定の可否を予測し、到来方向を推定できないときに擬似共分散行列Ｒwwを利用して角度推定を行うようにしてもよい。
【００９４】
この場合、探知測距装置１の信号処理部３０は、図４に示された予測部３３を有する。予測部３３は、受信信号ベクトルｖから生成した共分散行列Ｒvv（行列生成部３１で計算される）に基づいてエコー信号の到来方向を推定できるか否かを予測する。ここで、生成されたＲvvには、通常、必要な回数の空間平均処理が実行されているものとする。そして、予測部３３がＲvvによる到来方向推定の可否を予測する指標としては、例えば、Ｒvvの行列式等を用いる  −  これはＲvvのrankが縮退していれば、その行列式の値がゼロに近い値を取る事を利用した方法である。
【００９５】
或いは、予測部３３に於けるＲvvのrank縮退の予測は、Ｒvvに三角分解を用いる既知の手法（例えば、特開２００９−２１０４１０号に記載の方法）を適用し、ターゲット数を予測し、これを指標として実施しても良い。この考え方は、次の予測法と同様に、指標値の経時的な連続性によってrankの縮退判定を行い、到来方向推定の可否を予測するものである  −  例えば、２台であったターゲット数が突然１台に減ってしまった場合、到来方向推定が出来ない等と判定する。
【００９６】
さらに、予測部３３は、角度推定値の時間的な連続性に基づいて到来方向推定の可否を予測してもよい。例えば、探知測距装置１は、定期的に、受信信号ベクトルｖから生成される共分散行列Ｒvvに基づいて角度を推定する。ここで、短い時間間隔で角度推定が行われる場合には、各ターゲットについて推定される角度の変化は微小である。したがって、予測部３３は、１または複数のターゲットについて上記の時間間隔内に推定された角度の変化が所定の閾値よりも大きかったときは、到来方向を推定できないと予測してもよい。
【００９７】
図７は、予測部３３を有する探知測距装置において実行される角度推定方法を示すフローチャートである。この処理は、装置の基本動作周期（例えば、変調入力信号の周期等）に従って、信号処理部３０が定期的に繰り返し実行しても良い。
【００９８】
Ｓ１１において、信号処理部３０は、Ｍ個の送信用センサ素子およびＮ個の受信用センサ素子を合成することで構成される実効受信センサアレイからＬ個の受信信号ｖ1〜ｖLを取得する。Ｓ１２〜Ｓ１３において、予測部３３は、受信信号ベクトルｖから行列生成部３１の生成した共分散行列Ｒvvに基づいて角度推定が可能か予測する。
【００９９】
予測部３３が角度推定可能であると予測したときは、推定部３２は、Ｓ１４において、共分散行列Ｒvvに基づいてエコー信号の到来方向を推定する。この場合、行列生成部３１は、擬似共分散行列Ｒwwを生成する必要はない。
【０１００】
一方、予測部３３が、角度推定を不可能であると予測したときは、行列生成部３１は、Ｓ１５において、受信信号ベクトルおよび位相オフセット行列に基づいて擬似共分散行列Ｒwwを生成する。そして推定部３２は、Ｓ１６において、擬似共分散行列Ｒwwに基づいてエコー信号の到来方向を推定する。
【０１０１】
図８は、角度推定方法の他の実施例のフローチャートである。このフローチャートの処理は、信号処理部３０により、定期的に繰り返し実行される。すなわち、信号処理部３０は、定期的に探知範囲内の各ターゲットの角度を推定する。そして、推定結果は、不図示のメモリまたは信号処理部３０に内蔵されているメモリに保持される。
【０１０２】
Ｓ２１において、信号処理部３０は、直前の推定処理で得られたターゲット数がＫであり、且つ、互いに複素共役の関係（「発明が解決しようとする課題」に於ける、一般的なケースを参照）となる角度ベクトルが存在するか判定する（勿論実際の判定に於いては、適当な閾値を設定して行う。具体的には、２つの角度の絶対値の誤差が０．２度以下など、本発明を実装する装置が、想定されるＳＮ環境下に於いて実現可能な最小角度分解能の１０〜１５％程度が妥当な値である）。この様な角度ベクトルが存在する時、信号処理部３０は、Ｓ２２において、現在のターゲット数が（Ｋ−１）以下であるか判定する。
【０１０３】
現在のターゲット数が（Ｋ−１）以下である時、信号処理部３０は、Ｓ２３において、共分散行列Ｒvvのrankが縮退しているか判定する。共分散行列Ｒvvのrankが縮退している場合、Ｓ２４の処理が実行される。
【０１０４】
信号処理部３０は、Ｓ２４において、クリロフ（Krylov）部分空間に基づく擬似共分散行列Ｒwwを生成する。クリロフ部分空間に基づく擬似共分散行列については、（２．１）〜（２．４）式を参照しながら説明した通りである。また、この処理は、行列生成部３１によって実行される。
【０１０５】
信号処理部３０は、Ｓ２４で生成した擬似共分散行列Ｒwwを利用し、Ｓ２５において、各ターゲットについて角度推定を行う。この角度推定は、例えば、擬似共分散行列Ｒwwを（１．９）式に代入し、θをスキャンしながらＰCaponがピークとなる角度を検出することによって実現される。或いは、擬似共分散行列Ｒwwに幾つか追加演算を施した結果として得られる行列に対して固有値分解を適用し、その固有値を利用してターゲットの角度推定を行ってもよい。この処理は、推定部３２によって実行される。
【０１０６】
Ｓ２６において、信号処理部３０は、ターゲット数がＫに戻り、各ターゲットの角度が事前の値に近くなったか判定する。この判定結果が「Ｙｅｓ」であれば、信号処理部３０は、推定結果を保存して処理を終了する。なお、Ｓ２１、Ｓ２２、Ｓ２３、Ｓ２６の何れかの判定結果が「Ｎｏ」であれば、信号処理部３０は、Ｓ２７において、角度推定方式を変更する。
【０１０７】
このように、図８に示す実施例では、検出されるターゲットの数が減少し、共分散行列のrankが縮退すると、擬似共分散行列を利用して角度推定が行われる。したがって、ターゲットが図２に示すような特殊な位置に存在する場合であっても、ターゲットの角度が推定できなくなる事態は回避される。したがって、探知測距装置の信頼性および実用性が向上する。
【符号の説明】
【０１０８】
１  探知測距装置
３０  信号処理部
３１  行列生成部
３２  推定部
３３  予測部
【図１】
0005865689.tif 000017
【図４】
0005865689.tif 000018
【図５】
0005865689.tif 000019
【図７】
0005865689.tif 000020
【図８】
0005865689.tif 000021
【図２】
0005865689.tif 000022
【図３】
0005865689.tif 000023
【図６】
0005865689.tif 000024